(57)【特許請求の範囲】
【請求項１】
複数枚の単位床材を雄実と雌実との嵌合を介して短手方向に連接した状態でそれら単位床材の裏面に一枚のシート状物を貼着して一体化した構成の床材において、雄実と雌実とによる単位床材同士の短手方向嵌合部の裏面側に各々紐が直線的に配置されており、該紐の少なくとも一端は床材の長手方向端部から延出していて、該紐の延出端を引っ張ることにより上記短手方向嵌合部に沿ってシート状物を切断可能とされていることを特徴とする床材。
【請求項２】
雄実と雌実とによる単位床材同士の短手方向嵌合部の裏面側に、紐の直径よりも大きな幅寸法の空間が床材長手方向に亘って直線的に延長形成されており、紐はシート状物の表面に位置して該空間内を通って延長していることを特徴とする請求項１記載の床材。
【請求項３】
雄実と雌実とによる単位床材同士の短手方向嵌合部の裏面側に、紐の直径よりも大きな幅寸法の空間が床材長手方向に亘って直線的に延長形成されており、紐は該嵌合部において一方の単位床材の雄実の付け根部分の下面に位置して該空間内を通って延長していることを特徴とする請求項１記載の床材。
【請求項４】
紐がシート状物の内部に埋没していることを特徴とする請求項１記載の床材。
【発明の詳細な説明】
【０００１】
【発明の属する技術分野】
本発明は床材、特に複数枚の単位床材を雄実と雌実との嵌合を介して短手方向に連接した状態でそれら単位床材の裏面に一枚のシート状物を貼着して一体化した構成の床材に関する。
【０００２】
【従来の技術】
雄実と雌実が形成された細長の単位床材を長手方向に位置をずらして階段状に嵌合し、それら裏面にシート状物を貼着して一体化させてなる床材（いわゆる雁行床材）が従来より広く用いられている。
【０００３】
雁行床材は所定枚数の単位床材が幅方向に嵌合されたものとして用いられるが、これを部屋の中に順次敷設施工してゆくと部屋の隅部においては必ずしもその所定の幅寸法とは合致しないものとなるので、このような場合は施工すべき寸法に応じて不必要な単位床材を取り除いて施工する必要があった。
【０００４】
不必要な単位床材を取り除くには、該不必要な単位床材と必要な単位床材とが嵌合されている部分で裏面のシート状物をカッター等で長手方向に切断してこれら単位床材同士の嵌合を分断させることによって行っていた。雁行床材においては単位床材同士は接着されておらず単に雄実と雌実とで嵌合されているにすぎず、裏面のシート状物を介して一体化されているものであるので、上記のようにしてシート状物を切断することによって不必要な単位床材を容易に分離することが可能である。
【０００５】
【発明が解決しようとする課題】
雁行床材の裏面のシート状物は、単位床材同士を分離不能に一体化する機能を果たすだけでなく、防音効果を発揮するためのクッション材や、単位床材に湿気が吸収されるのを防止するための防湿シートの機能をも果たしている。防音機能や防湿機能を十分に発揮させるためには、不必要な単位床材を分離するためにシート状物を切断した後も、残された床材の隅々までシート状物が貼着されていることが好ましい。逆に、切断後の床材の端部からシート状物がはみ出るような状態であると、余分なシート状物が床材表面に現れてしまったり、雄実と雌実との嵌合の妨げとなるため、シート状物の余分な部分を再度切断する必要が生じ、二度手間となってしまう。
【０００６】
これらの問題を回避するためには、不必要な単位床材を取り除く際に、残すべき単位床材の端縁に沿ってシート状物を切断する必要があるが、切断線が表示されているものでもなく、単位床材の端縁に沿って直線的に切断することは容易ではなかった。
【０００７】
実際には、定規などの工具や治具を用いてシート状物を切断するか、あらかじめ定規などでシート状物上に直線を引いておいて該直線に沿って切断することが必要であり、いずれにしても手間のかかる作業となっていた。
【０００８】
【課題を解決するための手段】
そこで本発明は、上記問題を解決し、単位床材の端縁に沿って切断して不必要な単位床材を取り除く作業を容易に行うことのできる手段を設けた床材を提供することを目的とする。
【０００９】
この目的を達成するため、請求項１にかかる本発明は、複数枚の単位床材を雄実と雌実との嵌合を介して短手方向に連接した状態でそれら単位床材の裏面に一枚のシート状物を貼着して一体化した構成の床材において、雄実と雌実とによる単位床材同士の短手方向嵌合部の裏面側に各々紐が直線的に配置されており、該紐の一端は床材の長手方向端部から延出していて、該紐の延出端を引っ張ることにより上記短手方向嵌合部に沿ってシート状物を切断可能とされていることを特徴とする。
【００１０】
請求項２は、請求項１記載の床材において、雄実と雌実とによる単位床材同士の短手方向嵌合部の裏面側に、紐の直径よりも大きな幅寸法の空間が床材長手方向に亘って直線的に延長形成されており、紐はシート状物の表面に位置して該空間内を通って延長していることを特徴とする。
【００１１】
請求項３は、請求項１記載の床材において、雄実と雌実とによる単位床材同士の短手方向嵌合部の裏面側に、紐の直径よりも大きな幅寸法の空間が床材長手方向に亘って直線的に延長形成されており、紐は該嵌合部において一方の単位床材の雄実の付け根部分の下面に位置して該空間内を通って延長していることを特徴とする。
【００１２】
請求項４は、請求項１記載の床材において、紐がシート状物の内部に埋没していることを特徴とする。
【００１３】
【発明の実施の形態】
以下添付の図１〜図４を参照して本発明の一実施形態による雁行床材の構成について説明すると、この雁行床材１は４枚の単位床材２（２ａ〜２ｄ）が長手方向に位置をずらしながら短手方向に実嵌合された状態で、裏面のシート状物３で一体化されている。各単位床材２ａ〜２ｄの表面には突板や化粧紙、化粧合成樹脂シート等の化粧シート材貼着または塗装等による任意化粧が施され得る。この実施形態は４枚の単位床材を用いているが、２枚以上であればその枚数は任意である。
【００１４】
各単位床材２ａ〜２ｄの長手方向端面と短手方向端面にはそれぞれ雄実４（４ａ〜４ｄ）と雌実５（単位床材２ｄの雌実５ｄのみ図３に示す）とが対をなして形成されており、これら雄実４と雌実５との嵌合によって単位床材２ａ〜２ｄ同士の短手方向嵌合部が形成されるが、接着はされず、裏面のシート状物３で一体化されることで単位床材同士の分断が防止されている。雄実４ａおよび雌実５ｄは隣接する雁行床材との間の短手方向嵌合部を形成するものである。
【００１５】
雁行床材１の長手方向両端部における単位床材２ａ〜２ｄ同士の短手方向嵌合部からは各々紐７〜９の引出端部７ａ〜９ａ，７ｂ〜９ｂが延出されている。各引出端部７ａ〜９ａ，７ｂ〜９ｂは作業者の手指に巻くことができる程度の長さを有する。
【００１６】
紐７〜９、綿、麻等の天然繊維や合成樹脂繊維から構成された紐状または糸状のものであり、それ自体を強く引っ張っても切れず、シート状物３を切断できる強度を有することが要求される。
【００１７】
紐７〜９はシート状物３の表面において単位床材２ａ〜２ｄ同士の短手方向嵌合線に沿った位置に貼着されている（図４）。すなわち、紐７〜９同士の間隔は各単位床材２ａ〜２ｄの幅寸法と一致している。雄実４と雌実５との嵌合による単位床材２ａ〜２ｄ同士の短手方向嵌合部の裏面側には、紐７〜９の直径以上の幅寸法を有する空間６（６ａ〜６ｃ）が長手方向に亘って延長形成されており（図３）、紐７〜９はそれぞれ空間６ａ〜６ｃを通って長手方向に延長し、その両端から延出した部分が引出端部７ａ〜９ａ，７ｂ〜９ｂとされる。図２における点線は紐７〜９が通る位置を示している。
【００１８】
シート状物３は雁行床材１全体の裏面平面形状に合わせて雁行状に切断されたものであり、上述のようにその表面に紐７〜９が単位床材２ａ〜２ｄ同士の短手方向嵌合線に沿った位置に貼着され、その両端が引出端部７ａ〜９ａ，７ｂ〜９ｂとして外部に延出されている。紐７〜９の貼着は糊や接着剤等を適宜用いて行う。
【００１９】
シート状物３は、紙、合成樹脂シート、合成樹脂発泡体、ガラス繊維シート、不織布等を単独または任意積層したものとして用いることができ、これらシートに合成樹脂を含浸させて用いてもよいが、紐７〜９によって容易に切断できる程度の強度を有するものでなければならない。一方、運搬時や施工時に誤って切断されてバラバラになってしまうようなことがないように、多少の折り曲げでは破断しない程度の強度を持つものであることが好ましい。
【００２０】
以上のような構成を有する雁行床材１において、部屋の隅部に施工するに際して単位床材２ｂ〜２ｄのみが必要であって単位床材２ａが不要である場合の切断作業について図５を参照して説明すると、この場合は、不要となる単位床材２ａとこれに隣接する単位床材２ｂとの間の短手方向嵌合線に沿ってシート状物３を切断する必要があるので、該嵌合線に沿ってシート状物３表面に貼着されている紐７を用いて切断作業を行う。すなわち、雁行床材１の全体を裏返しにして、紐７の引出端部７ａまたは７ｂ（図５では引出端部７ｂ）を持って上方に引っ張り上げながら長手方向反対側に向けて引っ張ることにより、紐よりも強度が劣るシート状物３が容易に切断される。図５は切断途中の状態を示し、符号Ｃはシート状物３に生じた切断線である。紐７は雁行床材１の長手方向に沿って直線的に延長する空間６ａ内に収容されているので、紐７を引っ張りながらシート状物３を切断する際に蛇行することがなく、単位床材２ａと２ｂとの短手方向嵌合線に沿って直線的にシート状物３を切断することができる。
【００２１】
このようにして紐７の引出端部７ｂを持って図５において右方向に引っ張って行くと、シート状物３の切断が完了すると同時に紐７が空間６ａから外れて回収される。単位床材２ａは短手方向の雌実（５）が単位床材２ｂの短手方向雄実４ｂと嵌合されているだけで接着されていないので、それらの短手方向嵌合線に沿ってシート状物３が切断されると、単位床材２ａは簡単に取り除かれる。
【００２２】
なお、紐を用いてシート状物３を切断する必要のない場合、すなわち雁行床材１をそのままの幅寸法で用いて施工するときは、紐７〜９の引出端部７ａ〜９ａ，７ｂ〜９ｂを切断除去するか、あるいは単位床材２ａ〜２ｄの長手方向端部または短手方向端部の施工上支障のない箇所に沿わせ、または空間６ａ〜６ｃ内に押し込めておく。
【００２３】
本発明は図示実施形態に限定されることなく、特許請求の範囲の各請求項に記載の発明の範囲内において様々な変形態様を取り得る。
【００２４】
たとえば、既述の実施形態では紐７〜９をシート状物３の表面に貼着したが、単位床材２ａ〜２ｄ間の短手方向嵌合部において雄実４，雌実５の裏面側に形成される空間６ａ〜６ｄ内に収容されていればよく、たとえば図６に示すように、雄実４ｂ〜４ｄの付け根部分の裏面側に紐７〜９を接着しておいてもよい。この場合、強固に接着すると切断時に引っ張っても紐７〜９が接着部位から離れ難くなってしまうので、点接着しておくことが好ましい。また、紐７〜９の接着は、単位床材２ａ〜２ｄ同士を嵌合させる前に、各単位床材において雄実の下面側を露出させた状態で行うことが好ましい。この構成において、床材を裏返した状態で紐７〜９を引っ張り上げることにより雄実４ｂ〜４ｄの接着部位から剥がれ、前述したと同様にしてシート状物３を直線的に切断することができる。
【００２５】
また、既述の実施形態は本発明を雁行床材に適用したものであるが、図７に示すように、単位床材２ａ〜２ｄの長手方向端面を揃えた状態で嵌合させた平面視方形状の床材１０として構成してもよい。
【００２６】
また、紐７〜９の配置については、紐７〜９の直径よりも大きい厚みを有する合成樹脂発泡体でシート状物３’を構成し、該合成樹脂発泡体の製造過程において紐７〜９を所定箇所に配置しながら発泡させることで、図８に示すように、紐７〜９をシート状物３’内に埋没させた状態としてもよい。図８では紐７〜９がシート状物３’の表面側に埋没されており、このような位置に埋没されている紐７〜９を裏面側に向けて引っ張ることによってシート状物３’を確実に切断することができるが、紐７〜９を引っ張ったときにシート状物３’の切断が行われるものであればその埋没位置は問わない。この実施形態によると、紐７〜９が通るための空間６ａ〜６ｃを必要としないので、図８に示すように単位床材２ａ〜２ｄの短手方向嵌合部における雄実４，雌実５の裏面側端面同士を密接させて、嵌合線の直下に紐７〜９を埋没配置することが可能となるので、切断後のシート状物３’の端縁が、残された床材の端面と厳密に整合した仕上がり状態が得られる。
【００２７】
また、図示しないが、紐の直径よりも薄い２枚の紙や合成樹脂のシートを用い、これら２枚のシートで紐をサンドして接着剤で接着したシート状物としてもよい。この構成によると、紐を引っ張ることで裏面側のシートが切断されると同時に、接着剤で接着されている表面側のシートも裂断するので、シート状物全体が紐の配列線に沿って切断されることになる。
【００２８】
また、紐７〜９を通すための空間６を形成するのに既述の実施形態では雄実４の裏面側の短手方向端面部分を後退させているが、逆に雌実５の裏面側の短手方向端面部分を後退させることで空間６を形成してもよいし、これら対向する短手方向端面部分の両方を後退させてそれらの間に空間６を形成するようにしてもよい。
【００２９】
また、既述の実施形態では紐７〜９の両端を床材の長手方向両端から延出させて引出端部７ａ〜９ａ，７ｂ〜９ｂとしているが、紐のいずれか一端が床材の長手方向端部から延出していれば、該延出端部を用いて紐を引っ張ることによりシート状物を切断可能であるので、必ずしも両端に延出していることは必須ではなく、少なくとも一端が床材の長手方向端部から延出していればよい。
【００３０】
【発明の効果】
本発明によれば、床材の施工時において不要な単位床材を切断する際に、定規のような工具や治具を用いる必要がなく、紐を引っ張るだけで作業を行うことができるので、作業性が向上する。
【００３１】
シート状物は床材の端面に沿って直線的に切断されるので、床材裏面のシート状物が欠損することに伴う防音効果・防湿効果の低下を防止し、シート状物による防音機能・防湿効果を切断後の床材の前面に亘って発揮することができる。
【図面の簡単な説明】
【図１】本発明の一実施形態による床材の平面図である。
【図２】この床材の底面図である。
【図３】図１中Ａ−Ａ切断線による断面拡大図である。
【図４】この床材に用いるシート状物の平面図である。
【図５】この床材を紐で切断途中の状態として示す底面図である。
【図６】変形例の床材の図３と同様の断面拡大図である。
【図７】本発明の別の実施形態による床材の平面図である。
【図８】本発明の別の実施形態による床材の図３と同様の断面拡大図である。
【符号の説明】
１  床材（雁行床材）
２（２ａ〜２ｄ）  単位床材
３，３’  シート状物
４（４ａ〜４ｄ）  雄実
５（５ｄ）  雌実
６（６ａ〜６ｃ）  紐を通す空間
７，８，９  紐
７ａ〜９ａ，７ｂ〜９ｂ  紐の引出端部
１０  床材
【図１】
0003863910.tif 000002
【図２】
0003863910.tif 000003
【図３】
0003863910.tif 000004
【図４】
0003863910.tif 000005
【図５】
0003863910.tif 000006
【図６】
0003863910.tif 000007
【図７】
0003863910.tif 000008
【図８】
0003863910.tif 000009